(57)【要約】【課題】迅速確実な試験を優れた作業効率およびコストのもとで可能とする。【解決手段】電気所１０にあって送電系統等における電圧・電流値や遮断機等の動作状況などの監視データを記録し、この監視データをネットワーク３０を介して制御所に送信するオシロ装置２０の試験方法であって、前記オシロ装置２０の入力装置２１に、既知の試験用入力信号を入力するステップと、前記試験用入力信号の検知内容が監視データとして格納される、前記オシロ装置付帯の記録媒体２５より、監視データを読み出すステップと、前記読み出した監視データを出力装置１１６に出力するステップと、を備えることを特徴とするオシロ装置試験方法。【選択図】図２
2005274314.tif 000002
【特許請求の範囲】
【請求項１】
電気所にあって送電系統等における電圧・電流値や遮断機等の動作状況などの監視データを記録し、この監視データをネットワークを介して制御所に送信するオシロ装置の試験方法であって、
前記オシロ装置の入力インターフェイスに、既知の試験用入力信号を入力するステップと、
前記試験用入力信号の検知内容が監視データとして格納される、前記オシロ装置付帯の記録媒体より、監視データを読み出すステップと、
前記読み出した監視データを出力装置に出力するステップと、
を備えることを特徴とするオシロ装置試験方法。
【請求項２】
請求項１に記載のオシロ装置試験方法であって、
前記記録媒体より読み出した監視データより電圧値または電流値を抽出し、この抽出値に基づいた波形解析処理を行うステップと、
前記波形解析処理により取得した波形データを出力装置に出力するステップと、
を含むことを特徴とするオシロ装置試験方法。
【請求項３】
請求項１に記載のオシロ装置試験方法であって、
前記記録媒体より読み出した監視データのデータ形式を、前記出力装置のデータ処理形式、前記波形解析のデータ処理形式、およびテキストファイル形式の少なくともいずれかの形式に適合させるべく、変換処理するステップを含むことを特徴とするオシロ装置試験方法。
【請求項４】
請求項１に記載のオシロ装置試験方法であって、
前記監視データの出力装置への出力に際し、予め記憶装置に格納している試験報告書フォーマットに、前記監視データをあてはめて、試験報告書を生成するステップを含むことを特徴とするオシロ装置試験方法。
【請求項５】
電気所にあって送電系統等における電圧・電流値や遮断機等の動作状況などの監視データを記録し、この監視データをネットワークを介して制御所に送信するオシロ装置の試験システムであって、
前記オシロ装置の入力装置に、既知の試験用入力信号を入力する手段と、
前記試験用入力信号の検知内容が監視データとして格納される、前記オシロ装置付帯の記録媒体より、監視データを読み出す手段と、
前記読み出した監視データを出力装置に出力する手段と、
を備えることを特徴とするオシロ装置試験システム。
【請求項６】
電気所にあって送電系統等における電圧・電流値や遮断機等の動作状況などの監視データを記録し、この監視データをネットワークを介して制御所に送信するオシロ装置の試験方法を、オシロ装置試験システムに実行させるプログラムであって、
前記オシロ装置の入力装置に、既知の試験用入力信号を入力するステップと、
前記試験用入力信号の検知内容が監視データとして格納される、前記オシロ装置付帯の記録媒体より、監視データを読み出すステップと、
前記読み出した監視データを出力装置に出力するステップと、
を備えることを特徴とするオシロ装置試験プログラム。
【請求項７】
請求項６に記載のオシロ装置試験プログラムを記録したコンピュータ読み取り可能な記録媒体。
【発明の詳細な説明】
【技術分野】
【０００１】
本発明は、オシロ装置試験方法、オシロ装置試験システム、プログラム、および記録媒体に関する。
【背景技術】
【０００２】
整った電力基盤を備える我が国においては、電力系統等の保守点検の努力が欠かせない。従って、保守点検や事故時復旧などに要する手間とコストを削減して、ライフサイクルコストの最適化を図るべく各種提案がなされてきた。そこで、発電所、変電所といった各電気所に、送電系統等における電圧・電流値や遮断機等の動作状況などの監視データを記録し、この監視データをネットワークを介して制御所に送信するオシロ装置が設置されることとなってきた。
【０００３】
このようなオシロ装置について、例えば、配電線の地絡事故発生時の日時を含む事故情報（主に事故波形）を通信手段を介して入手し、コンピュータを援用して多観点から波形解析し、それらの解析値をニューラルネットワークに入力することにより、高精度で迅速に事故原因を推定可能とするといった目的の下、配電線の地絡事故発生時の日時を含む事故情報を通信手段を介して入手し、コンピュータ処理により事故原因を推定する配電線の事故原因推定方法において、配電線の地絡事故発生時の少なくとも零相電圧波形及び零相電流波形を検出してデータ収録し、多観点から波形解析し、それらの解析値をニューラルネットワークに入力し、故障相を特定するとともに事故原因を推定・出力することを特徴とする配電線の事故原因推定方法（特許文献１参照）などが提案されている。
【特許文献１】特開平１１−１４２４６６号公報
【発明の開示】
【発明が解決しようとする課題】
【０００４】
ところで、上記したオシロ装置は、検知対象たる電力系統の電流・電圧値等の入力に対して適正な出力値を出力しているのか適宜点検する必要がある。そこで従来、オシロ装置（子側）に試験データを入力して手動起動させる一方で、制御所側（親側）でオシロ装置からの出力データを作業者が読取り、この読取り値をオシロ装置側の作業者に電話連絡を行うといった試験手法がとられていた。この場合、オシロ装置側の作業者が、制御所側の作業者から連絡された出力データと試験データとを比較し、オシロ装置における入力変換器の較正を行うこととなっている。
【０００５】
しかしながら従来の試験方法では、親・子側の両方に作業者を待機させる必要があり、労力と手間、および人件費が少なからず必要であった。更に、人手による視認をデータ認識手段としているため、データ読取りミスや、或いは電話連絡ミスが起きる可能性も存在した。
【０００６】
そこで本発明は上記課題を鑑みてなされたものであり、迅速確実な試験を優れた作業効率およびコストのもとで可能とするオシロ装置試験方法、オシロ装置試験システム、プログラム、および記録媒体を提供することを主たる目的とする。
【課題を解決するための手段】
【０００７】
上記課題を解決する本発明のオシロ装置試験方法は、電気所にあって送電系統等における電圧・電流値や遮断機等の動作状況などの監視データを記録し、この監視データをネットワークを介して制御所に送信するオシロ装置の試験方法であって、前記オシロ装置の入力装置に、既知の試験用入力信号を入力するステップと、前記試験用入力信号の検知内容が監視データとして格納される、前記オシロ装置付帯の記録媒体より、監視データを読み出すステップと、前記読み出した監視データを出力装置に出力するステップと、を備えることを特徴とする（第１の発明）。
【０００８】
第２の発明は、第１の発明において、前記記録媒体より読み出した監視データより電圧値または電流値を抽出し、この抽出値に基づいた波形解析処理を行うステップと、前記波形解析処理により取得した波形データを出力装置に出力するステップと、を含むことを特徴とする。
【０００９】
第３の発明は、第１の発明において、前記記録媒体より読み出した監視データのデータ形式を、前記出力装置のデータ処理形式、前記波形解析のデータ処理形式、およびテキストファイル形式の少なくともいずれかの形式に適合させるべく、変換処理するステップを含むことを特徴とする。
【００１０】
第４の発明は、第１の発明において、前記監視データの出力装置への出力に際し、予め記憶装置に格納している試験報告書フォーマットに、前記監視データをあてはめて、試験報告書を生成するステップを含むことを特徴とする。
【００１１】
第５の発明は、電気所にあって送電系統等における電圧・電流値や遮断機等の動作状況などの監視データを記録し、この監視データをネットワークを介して制御所に送信するオシロ装置の試験システムであって、前記オシロ装置の入力装置に、既知の試験用入力信号を入力する手段と、前記試験用入力信号の検知内容が監視データとして格納される、前記オシロ装置付帯の記録媒体より、監視データを読み出す手段と、前記読み出した監視データを出力装置に出力する手段と、を備えることを特徴とする。
【００１２】
第６の発明は、電気所にあって送電系統等における電圧・電流値や遮断機等の動作状況などの監視データを記録し、この監視データをネットワークを介して制御所に送信するオシロ装置の試験方法を、オシロ装置試験システムに実行させるプログラムであって、前記オシロ装置の入力装置に、既知の試験用入力信号を入力するステップと、前記試験用入力信号の検知内容が監視データとして格納される、前記オシロ装置付帯の記録媒体より、監視データを読み出すステップと、前記読み出した監視データを出力装置に出力するステップと、を備えることを特徴とする。このプログラムは、前記各ステップの動作を行うためのコードから構成されている。
【００１３】
第７の発明は、前記オシロ装置試験プログラムを記録したコンピュータ読み取り可能な記録媒体にかかる。
【００１４】
その他、本願が開示する課題、及びその解決方法は、発明の実施の形態の欄、及び図面により明らかにされる。
【発明の効果】
【００１５】
本発明によれば、迅速確実な試験を優れた作業効率およびコストのもとで可能とするオシロ装置試験方法、オシロ装置試験システム、プログラム、および記録媒体を提供する。
【発明を実施するための最良の形態】
【００１６】
以下に本発明の実施形態について図面を用いて詳細に説明する。図１は本実施形態におけるオシロ装置試験システムを含むネットワーク構成図である。このネットワーク構成には、各電気所１０にオシロ装置２０が備わっている。オシロ装置２０は、送電系統等における電圧・電流値や遮断機等の動作状況などの監視データを記録し、この監視データをネットワーク３０を介して制御中継所および制御所の通信制御装置４０、５０に送信する役割を担っている。
【００１７】
そのため、送電系統などから得た電流・電圧を入力インターフェイス２１で受付て、これを入力変換器（検知手段）２２により適宜な出力形態に変換する。変換値は監視データとなってデータ送信装置２３を介してネットワーク３０上に送出され、前記通信制御装置４０らに送られるのである。また他方で、前記監視データは、記録装置２４によりコンピュータ読み取り可能な各種の記録媒体２５に格納されている。
【００１８】
一方、本発明のオシロ装置試験システム１００（以下、システム１００）は、前記オシロ装置２０に付帯する記録媒体２５（の出力インターフェイス）にアクセスし、ここから前記監視データを取得し本発明のオシロ装置試験方法に用いることが可能となっている。そのため実行部１０５とディスプレイ１１６（出力装置）とを備え、前記実行部１０５において本発明のオシロ装置試験方法を実現するプログラム群１０６をメモリ１０７に格納し、演算装置たるＣＰＵ１０８により読み出して実行する。
【００１９】
本発明のオシロ装置試験方法を実現するプログラム群１０６は、前記オシロ装置２０の入力インターフェイス２１に、既知の試験用入力信号（例：値や波形の予め定められた信号）を入力する信号生成ブロック１１０を備える。また、前記記録媒体２５より監視データを読み出すデータ読出しブロック１１１を備える。
【００２０】
更に、記録媒体２５より読み出した監視データのデータ形式を前記出力装置１１６のデータ処理形式、波形解析のデータ処理形式、およびテキストファイル形式の少なくともいずれかの形式に適合させるべく変換処理するデータ形式変換ブロック１１２を備える。記録媒体２５に格納されている監視データは、例えば圧縮されたバイナリー形式をとることが多く、そのままで読み出して他の処理に供することが難しかったが、本発明においてはこれを展開して例えばテキストファイル形式に変換する。
【００２１】
また、前記記録媒体２５より読み出した監視データより電圧値または電流値を抽出し、この抽出値に基づいた波形解析処理を行う波形解析ブロック１１３を備える。更に、前記監視データの出力装置１１６への出力に際し、予めメモリ１０７（記憶装置）に格納している試験報告書フォーマット１１５に、前記監視データをあてはめて、試験報告書を生成する報告書生成ブロック１１４を備える。なお、前記試験報告書フォーマット１１５は、例えば監視データを構成する各データの属性と対応付けされたデータ埋込領域と、同報告書に共通の定型文書のテキストおよび図・記号などとから構成されている。
【００２２】
システム１００は他に、システム１００が前記オシロ装置２０における記録媒体２５にアクセスしてデータ授受を実行するインターフェイス１０９を備えている。
【００２３】
なお、前記メモリ１０７のプログラム群１０６における各ブロック１１０〜１１４は、メモリ１０７において一体に備わっている例だけでなく、システム１００とネットワーク等を介した他装置に別々に配置され、システム１００の利用を受けるとすることもできる。
【００２４】
更に、システム１００と、オシロ装置２０（の記録装置２４）とをつなぐ接続線については、オシロ装置２０が備える通信インターフェイス或いは記録装置２４のインターフェイスに適合し、そのプロトコルに即したものであれば、種々採用できる。接続距離が長い場合には、インターネットやＬＡＮの他、専用回線やＷＡＮ（Wide Area Network）、電灯線ネットワーク、無線ネットワーク、公衆回線網、携帯電話網など様々なネットワークを採用することも可能である。また、ＶＰＮなど仮想専用ネットワーク技術を用いれば、インターネットを採用した際にセキュリティ性を高めた通信が確立され好適である。
【００２５】
次に、本発明のオシロ装置試験方法の実際手順について説明する。図２は本発明のオシロ装置試験方法の実際手順を示すフロー図である。なお、以下で説明するオシロ装置試験方法に対応する各種動作は、システム１００のメモリ１０７が備えるプログラム群１０６によって実現される。そして、このプログラム群１０６は、以下に説明される各種の動作を行うためのコードから構成されている。
【００２６】
本発明のオシロ装置試験システム１００（以下、システム１００）は、前記信号生成ブロック１１０により、周期や信号値、波形等が既知である試験用入力信号を生成し（或いは予め格納してあるメモり１０７内より取得し）、これをオシロ装置２０の入力インターフェイス２１に入力する（ｓ１０００）。
【００２７】
オシロ装置２０側では、この試験用入力信号を受信して、入力変換器２１により検知する。ここで検知した周期や信号値、波形等は、監視データとして所定のタイミングでネットワーク３０を介して通信制御装置４０らに送られていく。また、オシロ装置付帯の記録装置２４を介して記録媒体２５に格納される。
【００２８】
システム１００の前記データ読出しブロック１１１は、自身のインターフェイス１０９により前記記録装置２４を通じて記録媒体２５にアクセスし、格納されている監視データを読み出すこととなる（ｓ１００１）。この監視データは、大抵の場合、圧縮されたバイナリ形式となっており、そのままでは可読状態となっていない。また、他のアプリケーションプログラムとのデータ形式の整合が図りにくい状況も考えられる。
【００２９】
そこでプログラム群１０６における前記データ形式変換ブロック１１２は、記録媒体２５より読み出した監視データのデータ形式を、ディスプレイやプリンタなど各種出力装置１１６のデータ処理形式、波形解析のアプリケーションプログラムに適したデータ処理形式、および人間が可読であるテキストファイル形式の少なくともいずれかの形式に適合させるべく変換処理を実行する（ｓ１００２）。この変換処理は、記録媒体２５において格納されている監視データのデータ形式と、システム１００で実行する処理のデータ形式とに応じて、既存のデータ変換手法を単独または組み合わせて採用し実行することとできる。
【００３０】
続いてシステム１００の波形解析ブロック１１３は、前記記録媒体２５より読み出した監視データより電圧値または電流値を抽出し（ｓ１００３）、この抽出値に基づいた波形解析処理を行う（ｓ１００４）。波形解析処理に関しても、一般の波形解析用のアプリケーションプログラムを適用することが出来る。こうして、波形解析処理により波形データを取得する（ｓ１００５）。
【００３１】
上述したオシロ装置試験の結果を、試験報告書として生成する処理も本発明においては可能である。そこで、試験報告書の作成指示をインターフェイス１０９より受け付けたならば（ｓ１００６：ＹＥＳ）、前記報告書生成ブロック１１４がメモリ１０７に格納してある前記試験報告書フォーマット１１５を抽出する（ｓ１００７）。
【００３２】
このフォーマット１１５が試験報告書の種類分だけ格納されている場合には、インターフェイス１０９よりユーザの指示をフォーマット指定を受け付けて該当するフォーマットを選択するか、或いは、前記試験用入力信号の種類や入力形態とフォーマット属性が紐付けされているとして、システム１００自身で選択することもできる。
【００３３】
前記報告書生成ブロック１１４は、抽出した試験報告書フォーマット１１５に、前記監視データをあてはめて試験報告書を生成する（ｓ１００８）。生成した試験報告書は、前記ディスプレイ１１６などの出力装置に出力し（ｓ１００９）、処理は終了する。
【００３４】
ここで、生成した試験報告書の出力形態の例を説明しておく。図３は本実施形態における出力形態例を示す図である。図に示すように、システム１００におけるディスプレイ１１６は、出力装置として試験報告書３００を表示する。この試験報告書３００は、例えば、どの電気所のオシロ装置についての試験結果をタイトルに示しつつ、ここにおけるオシロ装置試験の結果を、送電系統を構成する各母線や支線などの要素毎に、周期や計測値をリスト化したデータ表示部３１０を備える。また、このデータ表示部３１０に加えて、オシロ装置試験により得られた監視データを波形解析した結果を表示する、波形表示部３２０を備える。
【００３５】
このようにオシロ装置試験の作業者は、電気所にいながらにしてオシロ装置試験結果を確実に取得することが可能となる。従って、この試験結果に基づいて、オシロ装置２０（の入力変換部２２）の較正を迅速かつ確実に行うことも出来るのである。更に、電気所１０においてオシロ装置試験と較正の処理とを実施できることから、制御中継情報や制御所に配置されていた作業者を削減したり、或いは省略することができる。
【００３６】
他方、前記ステップｓ１００６において、試験報告書の作成指示を受け付けなかった場合（ｓ１００６：ＮＯ）、ステップｓ１００５までで取得している監視データ（例：電流・電圧値や波形データ）をそのまま出力装置１１６に出力し（ｓ１００９）、処理は終了する。
【００３７】
本発明によれば、オシロ装置側、つまり子側のみ作業者を待機させだけでよく、親・子側の両方に作業者を配置する必要はなくなる。つまり、オシロ装置試験に関わる労力と手間、および人件費を抑制できる。更に、オシロ装置内から吸い上げたデータをコンピュータ処理することで試験を行うため、データ読取りミスや、或いは作業者間の連絡ミスといった不都合が起きる懸念も解消された。
【００３８】
つまり、迅速確実な試験を優れた作業効率およびコストのもとで可能とするオシロ装置試験方法、オシロ装置試験システム、プログラム、および記録媒体を提供できる。
【００３９】
以上、本発明の実施の形態について、その実施の形態に基づき具体的に説明したが、これに限定されるものではなく、その要旨を逸脱しない範囲で種々変更可能である。
【図面の簡単な説明】
【００４０】
【図１】本実施形態におけるオシロ装置試験システムを含むネットワーク構成図である。
【図２】本発明のオシロ装置試験方法の実際手順を示すフロー図である。
【図３】本実施形態における出力形態例を示す図である。
【符号の説明】
【００４１】
１０    電気所
２０    オシロ装置
２１    入力インターフェイス
２５    記録媒体
３０    ネットワーク
４０    通信制御装置
１００  オシロ装置試験システム（システム）
１０５  実行部
１０６  プログラム群
１０７  メモリ
１０８  演算装置、ＣＰＵ
１０９  入出力インターフェイス
１１６  ディスプレイ（出力装置）
【図１】
2005274314.tif 000003
【図２】
2005274314.tif 000004
【図３】
2005274314.tif 000005